(57)【要約】【課題】車内の所望位置に貼り付けることによって記憶力の向上や回復を図ることができるようにした記憶力向上回復シールを提供する。【解決手段】表面に車のナンバー、車体番号及び車輌形式表記を表示しかつ裏面に粘着剤を塗布したシール本体と、該シール本体の裏面が着脱自在に接着されるように一面に剥離剤が塗布された剥離面を有する剥離シートとからなり、前記シール本体を前記剥離シートから剥離して車の車内の所定位置に貼着することによって運転席に乗車して運転する際や、助手席や後部座席に乗車している際にもたえず前記シールを確認することができるように構成することにより、車に乗車している場合には常時脳の記憶力を高め、また記憶力の回復を図ることができるようにした。【選択図】図１
0003147213.tif 000002
【実用新案登録請求の範囲】
【請求項１】
表面に車のナンバー、車体番号及び車輌形式表記を表示しかつ裏面に粘着剤を塗布したシール本体と、該シール本体の裏面が着脱自在に接着されるように一面に剥離剤が塗布された剥離面を有する剥離シートとからなり、前記シール本体を前記剥離シートから剥離して車の車内の所定位置に貼着することによって運転席に乗車して運転する際や、助手席や後部座席に乗車している際にもたえず前記シールを確認することができるように構成することにより、車に乗車している場合には常時脳の記憶力を高め、また記憶力の回復を図ることができるようにしたことを特徴とする記憶力向上回復シール。
【考案の詳細な説明】
【技術分野】
【０００１】
本考案は、車内の所望位置に貼り付けることによって記憶力の向上や回復を図ることができるようにした記憶力向上回復シールに関する。
【背景技術】
【０００２】
自動車（車輌全般）にはナンバープレートが車輌の外部の前後に取付られていますが、車の運転者又は所有者が自分の車輌のナンバーを記憶していることはあまり多くない。運転者又は所有者でも車から離れてしまうと、車輌のナンバーを記憶していることはあまりないので不都合が生じる場合がある。例えば、交通事故にあって病院に運び込まれた場合等には車のナンバーを記憶していないために、警察による取調べの際等に不都合が生じることは煩雑に生じていることである。また、車の運転中または車に乗車している場合に脳を鍛え、記憶力の向上回復や判断力の向上を図ることができるようにした手段や道具は従来からほとんど提案されていないものである。
【考案の開示】
【考案が解決しようとする課題】
【０００３】
本考案は、上記問題点に鑑みて為されたものであり、車内の所望位置に貼り付けることによって記憶力の向上や回復を図ることができるようにした記憶力向上回復シールを提供することを目的とする。
【課題を解決するための手段】
【０００４】
上記課題を解決するために、本考案の記憶力向上回復シールは、表面に車のナンバー、車体番号及び車輌形式表記を表示しかつ裏面に粘着剤を塗布したシール本体と、該シール本体の裏面が着脱自在に接着されるように一面に剥離剤が塗布された剥離面を有する剥離シートとからなり、前記シール本体を前記剥離シートから剥離して車の車内の所定位置に貼着することによって運転席に乗車して運転する際や、助手席や後部座席に乗車している際にもたえず前記シール本体の車のナンバー表示、車体番号表示及び車輌形式表示を確認することができるように構成することにより、車に乗車している場合には常時脳の記憶力を高め、また記憶力の回復を図ることができるようにしたことを特徴とする。
【０００５】
本考案の記憶力向上回復シールを車内の適宜位置に取付けることで（車内表示）、たえず車の運転中または車の助手席や後部座席に乗車中に常時本考案の記憶力向上回復シールに記載された車のナンバー、車体番号及び車輌形式表記を確認することによって、脳が鍛えられ、脳の記憶力を高め、記憶力の向上回復等を図ることができ、脳の全般的な能力、例えば記憶力や判断力の向上に大変役立つものである。
【考案の効果】
【０００６】
本考案の記憶力向上回復シールによれば、車内の所望位置に貼り付けることによって記憶力の向上や回復を図ることができるという著大な効果を奏する。
【考案を実施するための最良の形態】
【０００７】
以下に本考案の実施の形態を添付図面に基づいて説明するが、本考案の技術思想から逸脱しない限りこれらの実施の形態について種々の変更又は変形が可能なことは言うまでもない。
【０００８】
図１は本考案の記憶力向上回復シールの第１の実施の形態を示す図面で、（ａ）は上面図、（ｂ）はシール本体を剥離シートから部分的に剥離した状態を示す上面説明図である。
【０００９】
図１において、符号１０は本考案に係る記憶力向上回復シールである。該記憶力向上回復シール１０は、シール本体１２と剥離シート１４とから構成されている。該シール本体１２の表面には車のナンバー１６を記載乃至表示するナンバー記載部１８、車体番号２０を記載乃至表示する車体番号記載部２２及び車輌形式２４を記載乃至表示する車輌形式記載部２６が設けられている。車のナンバー１６、車体番号２０及び車輌形式２４の記載乃至表示はプリント入力で行えばよいが、筆記又は印刷で行ってもよいことは勿論である。該シール本体１２の裏面には粘着剤２８が塗布されている。
【００１０】
前記剥離シート１４の一面には剥離剤３０が塗布されて剥離面３２となっており、前記シール本体１２の裏面が該剥離シート１４の剥離面３２に着脱自在に接着されるように構成されている。
【００１１】
前記シール本体１２を前記剥離シート１４から剥離して車の車内の所定位置に貼着することによって運転席に乗車して運転する際や、助手席や後部座席に乗車している際にもたえず前記シール本体１２の車のナンバー１６の表示、車体番号２０の表示及び車輌形式２４の表示を確認することができるように構成することにより、車に乗車している場合には常時脳の記憶力を高め、また記憶力の回復を図ることができるようになっている。
【００１２】
また事故等により、車輌が所有者の手元から離れた場合でも、車輌ナンバーを記憶していることで、大変役に立つものである。考案者はこの種の記憶力向上回復シールについて、秘密状態で個人的に使用テストを行いましたが、脳を鍛え、記憶力の向上、判断力の向上等々、安全運転にも大変役立つことが確認できたものである。
【００１３】
また、例えば、運転者が交通事故に巻き込まれた場合を想定すると、車輌が警察に運ばれ、事故当事者が病院で治療の際、自分の車番を聞かれ、本人が思いだせないことは多々あるが、そのときにこの記憶力向上回復シールを見ていた同乗者（小さい子供も含めて）が車輌ナンバーを暗記していることが想定され、このことによっても本考案の記憶力向上回復シールの効果の高いことが予見されるものである。
【００１４】
さらに年配の方は特に記憶力が薄れがちなので、本考案の記憶力向上回復シールの使用により、頭の体操的な効果が期待できるものである。つまり、本考案の記憶力向上回復シールの使用により、安全運転をたえず確認することができ、意識を高めることが出来るものである。
【００１５】
本考案の記憶力向上回復シール１０は、種々の態様が可能であり、図２~図９に本考案の記憶力向上回復シール１０の第２~第９の実施の形態を図示で示した。図２~図９において、図１に示した部材等と同一乃至類似の部材等は同一の符号で示した。なお、図２~図９に示した第２~第９の実施の形態の基本的な構成は図１の第１の実施の形態と同様であるので、重複を避けるため、再度の説明は省略する。
【図面の簡単な説明】
【００１６】
【図１】本考案の記憶力向上回復シールの第１の実施の形態を示す図面で、（ａ）は上面図、（ｂ）はシール本体を剥離シートから部分的に剥離した状態を示す上面説明図である。
【図２】本考案の記憶力向上回復シールの第２の実施の形態を示す図面で、（ａ）は上面図、（ｂ）はシール本体を剥離シートから部分的に剥離した状態を示す上面説明図である。
【図３】本考案の記憶力向上回復シールの第３の実施の形態を示す図面で、（ａ）は上面図、（ｂ）はシール本体を剥離シートから部分的に剥離した状態を示す上面説明図である。
【図４】本考案の記憶力向上回復シールの第４の実施の形態を示す図面で、（ａ）は上面図、（ｂ）はシール本体を剥離シートから部分的に剥離した状態を示す上面説明図である。
【図５】本考案の記憶力向上回復シールの第５の実施の形態を示す図面で、（ａ）は上面図、（ｂ）はシール本体を剥離シートから部分的に剥離した状態を示す上面説明図である。
【図６】本考案の記憶力向上回復シールの第６の実施の形態を示す図面で、（ａ）は上面図、（ｂ）はシール本体を剥離シートから部分的に剥離した状態を示す上面説明図である。
【図７】本考案の記憶力向上回復シールの第７の実施の形態を示す図面で、（ａ）は上面図、（ｂ）はシール本体を剥離シートから部分的に剥離した状態を示す上面説明図である。
【図８】本考案の記憶力向上回復シールの第８の実施の形態を示す図面で、（ａ）は上面図、（ｂ）はシール本体を剥離シートから部分的に剥離した状態を示す上面説明図である。
【図９】本考案の記憶力向上回復シールの第９の実施の形態を示す図面で、（ａ）は上面図、（ｂ）はシール本体を剥離シートから部分的に剥離した状態を示す上面説明図である。
【符号の説明】
【００１７】
１０：本考案の記憶力向上回復シール、１２：シール本体、１４：剥離シート、１６：車輌のナンバー、１８：ナンバー記載部、２０：車体番号、２２：車体番号記載部、２４：車輌形式、２６：車輌形式記載部、２８：粘着剤、３０：剥離剤、３２：剥離面。
【図１】
0003147213.tif 000003
【図２】
0003147213.tif 000004
【図３】
0003147213.tif 000005
【図４】
0003147213.tif 000006
【図５】
0003147213.tif 000007
【図６】
0003147213.tif 000008
【図７】
0003147213.tif 000009
【図８】
0003147213.tif 000010
【図９】
0003147213.tif 000011